(57)【要約】【課題】端子カバーを端子から外した場合でも端子カバーがカメラボディに回動可能に保持されるように形成した端子カバー及びこの端子カバーを有するカメラを提供すること。【解決手段】カメラのボディ２に設けられた少なくとも１つの情報伝達用の端子３，４を保護する端子カバー１において、前記端子カバー１は弾性体から形成され、当該端子カバー１の一端が前記端子をカバーし、他の一端は前記カメラのボディ２に設けられたカメラ保持用の吊り環７に回動自在に保持される保持部８を有すること。【選択図】  図１
2004246180.tif 000002
【特許請求の範囲】
【請求項１】
カメラのボディに設けられた少なくとも１つの情報伝達用の端子を保護する端子カバーにおいて、
前記端子カバーは弾性体から形成され、当該端子カバーの一端が前記端子をカバーし、他の一端は前記カメラのボディに設けられたカメラ保持用の吊り環に回動自在に保持される保持部を有することを特徴とする端子カバー。
【請求項２】
カメラのボディに設けられた少なくとも１つの情報伝達用の端子と、
前記ボディに設けられたカメラ保持用の吊り環と、
前記端子を保護する端子カバーとを有し、
前記端子カバーは弾性体から形成され、当該端子カバーの一端が前記端子をカバーし、他の一端は前記吊り環に回動自在に保持されていることを特徴とするカメラ。
【請求項３】
前記端子は外部発光ユニットを制御するシンクロ端子及び／または外部と前記カメラとの情報の送受をするための情報用端子であることを特徴とする請求項２に記載のカメラ。
【発明の詳細な説明】
【０００１】
【発明の属する技術分野】
本発明は、カメラに関し、特にカメラの外部機器接続用の端子カバーに関する。
【０００２】
【従来技術】
従来、カメラのボディには外部機器との信号の送受を行う接続用の端子、例えば外部フラッシュに接続する端子等が設けられている。これらの端子は常時使用する端子ではないため、水や埃などから端子接点を保護するために端子カバーが取り付けられている。このような例として、リモコン端子保護カバーが開示されている（特許文献１参照。）。
【０００３】
特許文献１の開示においては、カメラのボディにリモコン端子保護部材収納部を設け、リモコン端子保護部材が収納部にあればカメラボディに設けられているリモコン端子の機能が有効とされ、リモコン端子保護部材が収納部にない時にはリモコン端子の機能が無効とされるように構成されている。このように構成することによって、リモコン端子保護部材の重要性をユーザーに認識させることによってリモコン端子保護部材の紛失を防ごうとしている。
【０００４】
【特許文献１】
特開２０００−１２２１６８号公報（第３図）
【０００５】
【発明が解決しようとする課題】
しかしながら、特許文献１に開示されているリモコン端子保護部材は、形状が小型で、かつカメラのボディとは独立した単体物で形成されている。さらにリモコン端子保護部材をリモコン端子からリモコン端子収納部に付け替えるためには、カメラのボディからリモコン端子保護部材を分離しなければならないため、誤って手から滑り落ちてしまうなどの事故によって、リモコン端子保護部材を紛失してしまう虞がある。
【０００６】
本発明は、上述の課題に鑑みてなされたものであって、端子カバーを端子から外した場合でも端子カバーがカメラボディに回動可能に保持されるように形成した端子カバー及びこの端子カバーを有するカメラを提供することを目的としている。
【０００７】
【課題を解決するための手段】
上記目的を達成するために、本発明では、カメラのボディに設けられた少なくとも１つの情報伝達用の端子を保護する端子カバーにおいて、
前記端子カバーは弾性体から形成され、当該端子カバーの一端が前記端子をカバーし、他の一端は前記カメラのボディに設けられたカメラ保持用の吊り環に回動自在に保持される保持部を有することを特徴とする端子カバーを提供する。
【０００８】
また、本発明では、カメラのボディに設けられた少なくとも１つの情報伝達用の端子と、
前記ボディに設けられたカメラ保持用の吊り環と、
前記端子を保護する端子カバーとを有し、
前記端子カバーは弾性体から形成され、当該端子カバーの一端が前記端子をカバーし、他の一端は前記吊り環に回動自在に保持されていることを特徴とするカメラを提供する。
【０００９】
また、本発明のカメラでは、前記端子は外部発光ユニットを制御するシンクロ端子及び／または外部と前記カメラとの情報の送受をするための情報用端子であることが好ましい。
【００１０】
【発明の実施形態】
本発明の一実施形態を図面を参照しつつ説明する。
【００１１】
図１は本発明の実施形態にかかる端子カバーの斜視図である。図２はカメラボディに端子カバーを取付け、情報端子から端子カバーを外した状態を示す図であり、図３は図１の端子カバーをカメラの情報端子に装着した状態を示す図である。
【００１２】
図１〜図３において、弾性体で形成された端子カバー１は、カメラのボディ２の前面（レンズ装着側）に設けられた情報端子３、４のカバー部５とカメラボディの吊り環の円柱状部材７への取り付け部８とを一体に有している。
【００１３】
本実施形態において、カバー部５は略長方形状の箱型の外観を有しており、情報端子３、４との接続側は略四角形状の凹部５ａを有している。この凹部５ａ内に凹部底部５ｂに一体に形成されて情報端子３、４にそれぞれ個別に外嵌して、それぞれの端子をカバーする筒状穴部（端子カバー部）３ａ、４ａが形成されている。吊り環への取り付け部８は長方形状カバー部５の一辺もしくはその一部が延長した形状で、先端部近傍に穴８ａ設けられていて、カメラのボディ２に設けられた吊り環の円柱状部材７が挿入され、カメラのボディ２に取り付けられるようになっている。取り付け部８の穴８ａの周辺と箱型カバー部５との間の腕部６は可倒性にされている。このようにして、端子カバー１が形成されている。
【００１４】
情報端子３，４は、例えば外部フラッシュユニットへの接続端子であったり、その他の外部ユニットへの情報を送受するための端子であったりで、個数は２個に限定されるものではない。
【００１５】
次に、カメラボディに端子カバーの取り付け方について説明する。
【００１６】
吊り環の円柱状部材７にはカメラを所持するときに肩掛けベルトやストラップを固定し易いように三角形状の環９が吊り環の円柱状部材７の先端近傍に形成された穴１０に回動自在に保持されている。また、三角形状の環９は穴１０から取り外すことが可能に形成されている。なお、三角形状の環９が設けられてなくて、穴１０に直接肩掛けベルトやストラップを取り付けるものであってもよい。
【００１７】
三角形状の環９を穴１０から取り外し、端子カバー１の吊り環への取り付け部８に設けられた穴８ａに吊り環の円柱状部材７を挿入する。穴８ａは円柱状部材７の直径に略等しく形成されていること及び取り付け部８が弾性体で形成されているので、保持部８の一端部を引っ張り、穴８ａを拡大することによって簡単に挿入することができ、端子カバー１を吊り環の円柱部状部材７に取り付けることができる。穴８ａは円柱状部材７にきつめに形成されている方が、端子カバー１が吊り環の円柱状部材７から外れにくくなるため好ましい。
【００１８】
端子カバー１を吊り環７に取り付けた後、三角形状の環９を穴１０に取り付ける。これにより、端子カバー１は吊り環７から脱落することが防止できるようになる。すなわち、端子カバー１を情報端子３，４から取り外しても、端子カバー１は吊り環７に回動可能に保持されており、カメラボディ２から分離することがなく、端子カバー１を紛失する虞がなくなる。
【００１９】
情報端子３、４を使用しないときには、図３に示すように端子カバー１で情報端子３、４をカバーし、水や埃等から保護することができる。また、カバー部５が長方形状に形成されているため、カバーを装着した際に外観上も好ましくできる。
【００２０】
本実施形態では、情報端子３，４が吊り環７の近傍に設けられている場合について説明したが、情報端子３、４が吊り環７から離れている場合には、端子カバー１の腕部６の長さを各種準備する中から選択することによって情報端子３，４をカバーすることが可能となる。
【００２１】
また、本実施形態の端子カバー１は、吊り環７を有するカメラあれば現在の端子カバーと交換して用いることが可能である。
【００２２】
また、本実施形態では、端子カバーは情報端子３、４を同時にカバーするような一体構成としているが、情報端子３、４をそれぞれ個別にカバーするように、端子カバー部３ａ、４ａを分離して形成してもよい。
【００２３】
また、カバー部の形状を円形形状等の形状にして外観上バラエティに富んだものとしても良い。
【００２４】
さらにまた、本実施形態では、情報端子はカメラボディから突起している場合について説明したが、情報端子がカメラボディに孔状に形成さている場合にも、端子カバー部３ａ、４ａが情報端子孔を塞ぐ（ピンキャップ状）ように形成することによって情報端子を汚れから保護することができる。
【００２５】
なお、上述の実施の形態は例に過ぎず、上述の構成や形状に限定されるものではなく、本発明の範囲内において適宜修正、変更が可能である。
【００２６】
【発明の効果】
上述のように、本発明では、端子カバーを端子から外した場合でも端子カバーがカメラボディに回動可能に保持されるように形成した端子カバー及びこの端子カバーを有するカメラを提供することができる。
【図面の簡単な説明】
【図１】本発明の実施形態にかかる端子カバーの斜視図である。
【図２】カメラボディに端子カバーを取付け、情報端子から端子カバーを外した状態を示す図である。
【図３】図１の端子カバーをカメラの情報端子に装着した状態を示す図である。
【符号の説明】
１        端子カバー
２        カメラボディ
３、４    情報端子
３ａ、４ａ  筒状穴部（端子カバー部）
５        カバー部
６        腕部
７        吊り環の円柱状部材
８        取り付け部
９        環
１０      穴
【図１】
2004246180.tif 000003
【図２】
2004246180.tif 000004
【図３】
2004246180.tif 000005